(57)【要約】【課題】壁面に取り付けた発光パネルと壁仕上げ材との取り合いが良好にできるようにした照明用の発光パネル及びその取り付け構造並びにその取り付け方法を提供する。【解決手段】前面の大部分が発光面に形成され、内装仕上材６が貼り付けられる取付面Ｗに取り付けられる照明用の発光パネル１であって、前記取付面Ｗに取り付けられる際には前記発光面２ａに剥離可能な保護シート３が貼り付けられている。これにより、発光面を保護することができるとともに、発光面をきれいに維持できる。【選択図】図２
2008117642.tif 000002
【特許請求の範囲】
【請求項１】
前面の大部分が発光面に形成され、内装仕上材が貼り付けられる取付面に取り付けられる照明用の発光パネルであって、前記取付面に取り付けられる際には前記発光面に保護シートが貼り付けられていることを特徴とする照明用の発光パネル。
【請求項２】
前記保護シートが剥離可能なシートであることを特徴とする請求項１記載の照明用の発光パネル。
【請求項３】
請求項１または２記載の前記発光パネルが取付面に取り付けられ、内装仕上材が該発光パネルの縁部に当接しまたは覆って貼り付けられ、前記発光面から保護シートが除去されていることを特徴とする照明用の発光パネルの取り付け構造。
【請求項４】
請求項１または２記載の前面に保護シートが貼り付けられている前記発光パネルを下地面に取り付け、該発光パネルの発光面を含む下地面に内装仕上材を貼り付け、その後照明用の発光パネルの前面から前記保護シートと内装仕上材を除去することを特徴とする照明用の発光パネルの取り付け方法。
【発明の詳細な説明】
【技術分野】
【０００１】
本発明は、照明用の発光パネル、その取り付け構造及びその取り付け方法に関し、詳細には、壁面等に取り付けたＥＬ発光パネルと内装仕上材との取り合いが良好にできるようにした照明用の発光パネル及びその取り付け構造並びにその取り付け方法に関する。
【背景技術】
【０００２】
一般に、自発光型のＥＬ素子は、ＥＬ（エレクトロルミネッセンス）現象を利用しているので、発熱がほとんどなく、また、軽量、薄型であり、特に、有機ＥＬ素子は、無機ＥＬ素子に比較して色の選択が容易で、駆動電圧が低くて省電力であるなど、種々の利点を有している。
【０００３】
近年は、ディスプレイ、照明器具として面発光光源の有機ＥＬ発光パネルのように大面積の有機ＥＬ発光パネルが使用されている。このような有機ＥＬ発光パネルは、例えば取り付け面である壁や天井の下地面に取り付けられ、有機ＥＬ発光パネルの周囲の下地面に内装仕上材が貼られて仕上げられている。
【０００４】
ＥＬ発光パネル（エレクトロルミネッセンスシート）を壁面から殆ど突出して見えないように設置する例が開示されている（例えば、特許文献１）。
【０００５】
ところで、従来ＥＬ発光パネルを石膏ボード等の下地面に取り付け、そのＥＬ発光パネルの発光面ともに全面に内装仕上材を貼り付け、その後ＥＬ発光パネルの発光面の内装仕上材を切り取って除去していた。
【特許文献１】特開２０００−１１２４１２号公報
【発明の開示】
【発明が解決しようとする課題】
【０００６】
しかしながら、上記の特許文献１に開示されているものは、ＥＬ発光パネルの発光面側に透光性表現手段が描かれた透光シートであり、着脱可能であるものの、点灯時にはそのまま表面に残しておくものである。また、従来はＥＬ発光パネルの発光面の内装仕上材を切り取って除去する作業に熟練が必要であり、取り合い部分をきっちりときれいにするのが困難であった。また、発光面から内装仕上材をきれいに除去するのが困難であった。
【０００７】
本発明は、上記の課題を解決するためになされたもので、きれいに仕上げることが容易な照明用の発光パネル及びその取り付け構造並びにその取り付け方法を提供することを目的とする。
【課題を解決するための手段】
【０００８】
上記の目的を達成するために、請求項１記載の発明に係る照明用の発光パネルは、前面の大部分が発光面に形成され、内装仕上材が貼り付けられる取付面に取り付けられる照明用の発光パネルであって、前記取付面に取り付けられる際には前記発光面に保護シートが貼り付けられていることを特徴とする。
【０００９】
請求項２記載の発明に係る照明用の発光パネルは、請求項１記載の発明の構成において、前記保護シートが剥離可能なシートであることを特徴とする。
【００１０】
請求項３記載の発明に係る照明用の発光パネルの取り付け構造は、請求項１または２記載の発明の構成の前記発光パネルが取付面に取り付けられ、内装仕上材が該発光パネルの縁部に当接しまたは覆って貼り付けられ、前記発光面から保護シートが除去されていることを特徴とする。
【００１１】
請求項４記載の発明に係る照明用のＥＬ発光パネルの取り付け方法は、請求項１または２記載の発明の構成の前面に保護シートが貼り付けられている前記照明用発光パネルを下地面に取り付け、該発光パネルの発光面を含む下地面に内装仕上材を貼り付け、その後発光パネルの前面から前記保護シートと内装仕上材を除去することを特徴とする。
【発明の効果】
【００１２】
請求項１記載の発明によれば、照明用の発光パネルの前面、発光面に保護シートが貼り付けられているので、内装仕上材を発光面に貼っても、これを除去する際は、保護シートごと切り欠いて除去することができる。そのため、発光パネルの発光面を傷付けたり、汚したりせずに内装仕上材を除去することができる。また、発光パネルの取付部の内装仕上材を予め切断しておかなくても、発光パネルの発光面をきれいに維持して、下地面に内装仕上材を貼り付けることができる。また、保護シートで保護されている発光面から内装仕上材を除去するので取り合い部もきっちりと、きれいに切り取ることができる。
【００１３】
請求項２記載の発明によれば、請求項１の効果に加えて、保護シートの除去がさらに簡単にできる。
【００１４】
請求項３記載の発明によれば、熟練していなくても、保護シートで保護されている部分から内装仕上材を除去するので取り合い部もきっちりと、きれいに切り取ることができる。
【００１５】
請求項４記載の発明によれば、熟練していなくても、保護シートで保護されている部分から内装仕上材を除去するので取り合い部もきっちりと、きれいに切り取ることができる。
【発明を実施するための最良の形態】
【００１６】
以下、本発明の実施の形態について、図面を参照して詳しく説明する。図１は本発明の実施の形態における照明用の発光パネルの構成を示す斜視図、図２はその取付構造を示す斜視図、図３はその取り付け工程を示す斜視図である。この実施の形態の照明用の発光パネル１は、ＥＬ発光パネル２と保護シート３と駆動電源接続部４を備える。
【００１７】
このＥＬ発光パネル２は、有機ＥＬからなり、ガラス板などでできた透明の基板面に、ＩＴＯやＺｎＯなどの透明電極、有機発光層、および光反射用の金属膜からなる背面電極が順次積層され、非発光面（図１では下側面）は封止層が形成されるとともに覆い部材で保護されて構成されている。
【００１８】
駆動電源接続部４は、ＥＬ発光パネル２の各電極を外部電源に接続するための部材である。保護シート３は、ＥＬ発光パネル２の発光面（前面）を保護するため、発光パネルが使用部位に取り付けられて、内装仕上材が発光面から除去されるまで、発光面全面（非発光部も含む）に貼り付けられている。
【００１９】
そして、保護シート３は、フィルムの表面に粘着剤層が形成され、発光面２ａに粘着させても容易に剥離させて除去が可能なように形成されている。例えば、保護シート３は、０．５ｍｍ厚のポリプロピレンフィルムの片面にアクリル系粘着剤層が形成されたものが挙げられる。この保護シート３を形成するフィルムとしては、ポリプロピレンの他、ポリ塩化ビニル、ポリスチレン、ポリアミド、ポリエチレン等のプラスチックフィルムに接着剤が塗布可能なフィルムが使用される。
【００２０】
また、保護シート３に剥離可能な粘着剤層を形成する接着剤としては、特に限定されず、例えば、アクリル系接着剤、ゴム系接着剤、シリコーン系接着剤等の接着剤などが例示できる。好ましい接着剤には、例えば、アクリル酸エチル、アクリル酸ブチル等のアクリル酸を主成分として含むアクリル系接着剤が例示される。さらに、剥離可能な粘着剤層は発光面全面に粘着するように形成しなくてもよく、一部にはがれやすいように形成するのが好ましい。
【００２１】
この構成の照明用の発光パネル１は、図２（ａ）に示すように、壁面Ｗに取り付けられて使用される。壁面５は、図２（ｂ）に示すように、壁下地Ｗに内装仕上材６が貼り付けられて構成されている。壁下地Ｗは取付面を構成し、この壁下地Ｗ面には発光パネル１が面一に取り付けることができるように凹部が設けられている。この凹部に発光パネル１を取り付け、内装仕上材６が発光パネル１を含む壁下地Ｗ面の全面に貼り付けられる。そして、内装仕上材６は発光パネル１の保護シート３と共に切り欠かれ、発光パネル１の発光面から除去されるようにされている。そして、内装仕上材６の切り欠かれた端部は発光パネル１の縁部に当接するか又は近傍に位置している。
【００２２】
次に、図３により、上記のように構成した照明用の発光パネル１を取り付ける方法について説明する。先ず、発光パネル１を壁下地Ｗの取り付け用凹部７に取り付ける（図３（ａ））。このとき、発光パネル１の保護シート３面と壁下地Ｗの表面とは面一になっている（図３（ｄ））。次いで、ＥＬ発光パネル１を含めて壁下地Ｗの表面に、内装仕上材６を貼り付ける（図３（ｂ））。そして、ＥＬ発光パネル２の発光面の内装仕上材６を切断し、保護シートと一緒に除去する（図３（ｃ））。
【００２３】
上記のように構成してなる本願発明によれば、照明用の発光パネルの前面、発光面に保護シートが貼り付けられているので、内装仕上材を発光面に貼ってこれを切り欠いて除去する際も発光面を保護することができ、きれいに発光面から除去できる。また、発光パネルの取付部の内装仕上材を予め切断しておかなくても、発光パネルの発光面をきれいに維持して、下地面に内装仕上材を貼り付けることができる。また、保護シートで保護されている発光面から内装仕上材を除去するので取り合い部もきっちりと、きれいに切り取ることができる。
【００２４】
なお、本願発明は、上記の実施の形態に限定されるものではなく、本願発明の趣旨を逸脱しない範囲内において、種々の変形を加えることが可能である。例えば、発光パネルを取り付ける面として壁の例で説明したが、天井でもよい。また、取り付ける下地面に予め、取り付け用の凹部を形成した構造例で説明したが、図４に示すように、発光パネルの取り付け用の凹部を形成しないで、下地面にそのまま取り付けてから内装仕上材６を貼り付け、その後、発光面２ａ上の内装仕上材６を保護シート３ごと切り欠いて除去するようにしてもよい。また、発光パネル１の周縁と内装仕上材６の切り欠かれた端部との位置関係は、当接せずに発光パネル発光面の周縁に内装仕上材６と保護シート３とを残して、縁部を覆って中央部の発光部を切り欠いて除去するものでもよい。
【図面の簡単な説明】
【００２５】
【図１】本発明の実施の形態に係る発光パネルの斜視図である。
【図２】その取り付け構造を示す図で、同図（ａ）は壁面に取り付けた状態の斜視図、同図（ｂ）はその断面図である。
【図３】それを取り付ける工程を示す斜視図である。
【図４】本発明の実施の形態に係る発光パネルの取り付け構造の他の例を示す断面図である。
【符号の説明】
【００２６】
１    発光パネル
２    ＥＬ発光パネル
３    保護（剥離）シート
５    壁面
６    内装仕上材
【図１】
2008117642.tif 000003
【図２】
2008117642.tif 000004
【図３】
2008117642.tif 000005
【図４】
2008117642.tif 000006